(57)【要約】【課題】  内枠から前枠を開閉する際に球払出通路を流下する遊技球の球零れを効果的に抑制するとともに、球払出通路から異物の侵入などによる不正行為を抑制することが可能な遊技機を提供する。【解決手段】  球払出通路１５は、前枠（球皿枠）７の閉鎖時に上流側通路２０の出口部２０ａが下流側通路３０の入口部３０ａから通路内部に挿入されて接続されることにより遊技球を球受皿に誘導可能とする。上流側通路２０には、前枠７の開放時に上流側通路２０の遊技球の流下を堰き止める規制状態と、該前枠７の閉鎖時に上流側通路２０の遊技球の流下を許容する許容状態とを形成するシャッター機構４０が設けられている。シャッター機構４０は、上流側通路２０の出口部２０ａが下流側通路３０の入口部３０ａから通路内部に挿入されている状態で、前枠７の開閉動作に伴い規制状態と許容状態とを切り換える。【選択図】図４
2010178850.tif 000002
【特許請求の範囲】
【請求項１】
遊技盤を保持する内枠の前面側にヒンジを介して開閉可能に前枠が配置され、前記内枠に設けられた球払出装置から払い出された遊技球を前記前枠に設けられた球受皿に誘導する球払出通路を備えた遊技機であって、
前記球払出通路は、終端部分が前記内枠の前面で突設されて出口部を前方に開口する内枠側の上流側通路と、始端部分が前記前枠の後面で突設されて入口部が後方に開口する前枠側の下流側通路とを含み構成され、前記前枠の閉鎖時に前記上流側通路の出口部が前記下流側通路の入口部から通路内部に挿入されて接続されることにより前記遊技球を球受皿に誘導可能とし、
前記上流側通路には、前記前枠の開放時に上流側通路の遊技球の流下を堰き止める規制状態と、該前枠の閉鎖時に上流側通路の遊技球の流下を許容する許容状態とを形成するシャッター機構が設けられ、
前記シャッター機構は、前記上流側通路の出口部が前記下流側通路の入口部から通路内部に挿入されている状態で、前記前枠の開閉動作に伴い前記規制状態と許容状態とを切り換えることを特徴とする遊技機。
【請求項２】
前記シャッター機構は、前記上流側通路の終端部分に配置され、前記前枠の閉鎖時に前記上流側通路の出口部とともに前記下流側通路の入口部から通路内部に挿入される請求項１に記載の遊技機。
【請求項３】
前記シャッター機構は、前記上流側通路の天井壁側に配置されている請求項２に記載の遊技機。
【請求項４】
前記内枠の前面には、前記上流側通路の少なくとも前記遊技盤側を取り囲んで前方に突出する外壁部が形成され、その外壁部が、前記前枠の閉鎖時に前記下流側通路の始端部分の外側を覆う請求項１ないし３のいずれか１項に記載の遊技機。
【発明の詳細な説明】
【技術分野】
【０００１】
本発明は、遊技機に関する。
【背景技術】
【０００２】
ぱちんこ機などの遊技機には、矩形状の外枠に対して内枠が開閉可能に組み付けられ、該内枠にヒンジを介して前枠が開閉可能に配置されている。また、内枠の前面側には、遊技盤が着脱可能に組み付けられ、前枠には球受皿が設けられている。球受皿は、遊技球を一時的に貯留し、該貯留した遊技球を内枠に設けられる発射装置の発射位置へ誘導する。そして、前枠には発射ハンドルが設けられ、該発射ハンドルの操作により発射装置を作動させる。
【０００３】
また、内枠の背面側には図柄表示装置の画像処理基板や、ぱちんこ機の動作を制御する主制御基板などを含む制御ユニットが組み付けられている。また、遊技場の遊技機島から供給された遊技球を貯留する補給タンク、補給タンクの遊技球を下流側へ誘導するタンクレール、タンクレールから球圧を分散させながら流下させる球通路、球通路より供給された遊技球を、所定の条件に基づいて賞球・貸球として遊技球を払い出す球払出装置が設けられている。球払出装置から球払出通路を経て払出口より払い出された遊技球は前枠に設けられた球受皿に一時的に貯留される。
【０００４】
遊技者が遊技中に、スタッフが球詰りの解消やぱちんこ機の点検をするために前枠を開放する場合がある。このとき、球受皿が遊技球で満杯で球払出通路まで遊技球で満たされていたり、入賞により賞球の払出し動作が行われていたりすると、球払出通路を流下、或いは停留している遊技球が床などに零れ落ちる可能性がある。ここで、球払出装置から払い出された遊技球は遊技者の球となるため、球零れなどが許されない。
【０００５】
かかる問題を解消するため、機枠のぱちんこ球誘導部の開口部近傍に弾性部材の弾性力により可動する第１可動部を設け、前皿部扉を機枠より開放する際に第１可動部を傾斜させることで遊技球の落下を抑制し、前皿部扉に設けた弾性部材の弾性力により可動する第２可動部（シャッター）を当該前皿部扉の開放に合わせて前皿部後部に移動させて当該前皿部からの遊技球の落下を抑制する技術が提案されている（特許文献１参照）。
【先行技術文献】
【特許文献】
【０００６】
【特許文献１】特開２００２−１１９７１８号公報
【発明の概要】
【発明が解決しようとする課題】
【０００７】
上述した特許文献１の遊技機においては、ぱちんこ球誘導部の傾斜に対して弾性力により第１可動部の下流側を上方に傾斜させて遊技球の流下を抑制するようになっているため、球払出通路を流下する遊技球の勢いが速い場合には前皿部扉の開放により第１可動部が傾斜する前に、或いはその傾斜を乗り越えて遊技球が零れ落ちるおそれがある。また、第１可動部に遊技球が乗っている状態で遊技球の流下を抑制するので、当該第１可動部の傾斜が不十分であると、前皿部扉を開放する途中で第１可動部上の遊技球が後続の遊技球の球圧で零れ落ちるおそれがある。
【０００８】
ところで、球払出通路は、前枠の開放時における球零れの問題の他に、払出口からのゴト行為（不正行為）の標的になり易いという問題がある。すなわち、払出口は、球受皿に遊技球を排出するために遊技者の手元に近い位置に形成されており、そして、球払出通路は、内枠側の通路（前面）と前枠側の通路とが前枠の閉鎖時に接続されて形成されるため、それら通路の境界部分に隙間が生じ易いからである。したがって、その隙間からピアノ線などの異物を遊技盤の遊技領域に向けて侵入されるおそれがある。
【０００９】
本発明の課題は、上記実情に鑑みてなされたものであり、内枠から前枠を開閉する際に球払出通路を流下する遊技球の球零れを効果的に抑制するとともに、球払出通路から異物の侵入などによる不正行為を抑制することが可能な遊技機を提供することにある。
【課題を解決するための手段】
【００１０】
上記課題を解決するために、本発明の遊技機は、
遊技盤を保持する内枠の前面側にヒンジを介して開閉可能に前枠が配置され、内枠に設けられた球払出装置から払い出された遊技球を前枠に設けられた球受皿に誘導する球払出通路を備えた遊技機であって、
球払出通路は、終端部分が内枠の前面で突設されて出口部を前方に開口する内枠側の上流側通路と、始端部分が前枠の後面で突設されて入口部が後方に開口する前枠側の下流側通路とを含み構成され、前枠の閉鎖時に上流側通路の出口部が下流側通路の入口部から通路内部に挿入されて接続されることにより遊技球を球受皿に誘導可能とし、
上流側通路には、前枠の開放時に上流側通路の遊技球の流下を堰き止める規制状態と、該前枠の閉鎖時に上流側通路の遊技球の流下を許容する許容状態とを形成するシャッター機構が設けられ、
シャッター機構は、上流側通路の出口部が下流側通路の入口部から通路内部に挿入されている状態で、前枠の開閉動作に伴い規制状態と許容状態とを切り換えることを特徴とする。
【発明の効果】
【００１１】
上記本発明の遊技機によれば、球払出通路は、前枠の閉鎖時に上流側通路の出口部が下流側通路の入口部から通路内部に挿入されて接続される。これによれば、内枠の前面と下流側通路の先端との境界部分（隙間）が、上流側通路によって内側から覆われるので、上流側通路と下流側通路との境界部分（隙間）が複雑形状となり、遊技盤の遊技領域に向けてピアノ線などの異物を侵入させるゴト行為（不正行為）を抑制又は防止することができる。
【００１２】
また、上流側通路が下流側通路の内部に挿入されて接続されるので、底壁において遊技球を問題なく転動（流下）させることができる。さらには、上流側通路の底壁の厚みによって球払出通路に段差が形成されるので、遊技球の流下に変動を与えて、その遊技球の流下を減速させるとともに、整流して球詰まりを抑制することができる。ひいては、遊技球で満杯になった球皿枠から遊技者によって遊技球が上流側通路側に押しも出されるのを抑制することができ、前枠を開閉する際の球零れを抑制又は防止することができる。なお、下流側通路の外側は、上流側通路の接続動作に影響を受けないので、板金で覆うことができ、不正防止効果を高めることができる。
【００１３】
また、上流側通路に設けられたシャッター機構は、上流側通路の出口部が下流側通路の入口部から通路内部に挿入されている状態で、上流側通路における遊技球の流下の規制状態と許容状態とを切り換える。すなわち、前枠を閉鎖するときには、上流側通路と下流側通路とが接続された後でシャッター機構が許容状態に切り換わり、前枠を開放するときには、シャッター機構が規制状態に切り換わった後で上流側通路から下流側通路が離間するように時間差が形成される。具体的には、下流側通路の底壁の一部（先端）が前枠の閉鎖時に上流側通路の底壁の下側に入り込むので、シャッター機構が規制状態に切り換わる直前に通過（流下）した遊技球を、その入り込んだ下流側通路の底壁で受け止めることができる。したがって、前枠を開閉する際に球払出通路を流下する遊技球の球零れを効果的に抑制又は防止することができる。
【００１４】
また、シャッター機構は、上流側通路の終端部分に配置され、前枠の閉鎖時に上流側通路の出口部とともに下流側通路の入口部から通路内部に挿入される構成を採用することができる。これによれば、シャッター機構が上流側通路の終端部分に配置されているので、シャッター機構を通過した遊技球は直ちに下流側通路を流下することとなり、前枠を開閉する際に球払出通路を流下する遊技球の球零れをより一層効果的に抑制又は防止することができる。
【００１５】
そして、シャッター機構は、上流側通路の天井壁側に配置する構成を採用することができる。これによれば、遊技盤が位置する天井壁側にシャッター機構としての構造体が配置されるので、上流側通路と下流側通路との境界部分（隙間）が単に通路を形成する平坦面同士の境界部分（隙間）と異なって複雑形状となり、遊技盤の遊技領域に向けてピアノ線などの異物を侵入させるゴト行為（不正行為）を効果的に抑制又は防止することができる。
【００１６】
また、内枠の前面には、上流側通路の少なくとも遊技盤側を取り囲んで前方に突出する外壁部が形成され、その外壁部が、前枠の閉鎖時に下流側通路の始端部分の外側を覆う構成を採用することができる。これによれば、内枠の前面と下流側通路の先端との境界部分（隙間）が、外壁部によって外側から覆われるので、遊技盤の遊技領域に向けてピアノ線などの異物を侵入させるゴト行為（不正行為）をさらに抑制又は防止することができる。
【図面の簡単な説明】
【００１７】
【図１】本発明の実施形態に係る遊技機の一例を示す正面図である。
【図２】図１の遊技機の背面図である。
【図３】図１の遊技機の前枠開放時の要部拡大図である。
【図４】前枠閉鎖時の球払出通路の縦断面図である。
【図５】前枠閉鎖時の球払出通路の横断面図である。
【図６】上流側通路の正面図である。
【図７】シャッター機構の分解斜視図である。
【図８】前枠閉鎖時を示す要部拡大断面図である。
【図９】前枠開放時を示す要部拡大断面図である。
【図１０】前枠開閉時の作動を示す要部拡大断面図である。
【発明を実施するための形態】
【００１８】
以下、本発明における実施形態について図面を参照しつつ説明する。
【実施例】
【００１９】
図１及び図２に示すように、遊技機（以下、ぱちんこ機ともいう）１は、そのぱちんこ機１の外郭を形成する額縁状の外枠２を備え、その外枠２の前面に一側をヒンジ２ａを介して軸支して、その前面側に向かって片開き可能に内枠３が支持されている。内枠３には、ガイドレール４により遊技領域５ａが形成された遊技盤５が装着され、その下方に発射機構（図示せず）が設けられている。また、内枠３の一側に遊技盤５の正面を覆うガラスなどの透明板を備えた前枠としてガラス枠６がヒンジ２ｂを介して開閉自在に設けられている。そして、その下方には前枠として球皿枠７がヒンジ２ｃを介して開閉自在に軸支されている。球皿枠７の前面には、遊技球を貯留し、その貯留した遊技球を整流して発射機構に供給する球受皿９が設けられている。また、この球受皿９の右下側に遊技球の発射力を調節する発射ハンドル１０が設けられている。
【００２０】
なお、本明細書において、ぱちんこ機１における上下方向とは遊技盤５の盤面に沿う態様で遊技領域５ａを遊技球が流下する方向（鉛直方向）を意味する。また、左右方向とは遊技盤５の盤面に沿う態様で上下方向に直交する方向（水平方向）を意味する。また、前後方向とは遊技盤５の盤面に直交する方向（水平方向）を意味し、遊技盤５の遊技者側が前側であり、遊技盤５の奥側（遊技領域５ａの反対側）が後側である。
【００２１】
内枠３は、図２に示すように、アルミなどの金属や合成樹脂により縦長方形状で、中央に窓部１１が開設された枠状に形成されている。窓部１１の背面上方には、遊技機島の補給経路（図示せず）から補給される遊技球を貯留する補給タンク１２が設けられている。また、補給タンク１２の下流側に遊技球を整列して流下させる直線及び屈曲状の球誘導路１３が設けられている。また、その球誘導路１３の下流側には所定個数の遊技球を計数して払い出す球払出装置１４が設けられている。そして、その球払出装置１４の下流側には、該球払出装置１４から払出された遊技球を払出口９ａから球受皿９（図１参照）へと誘導する球払出通路１５が設けられている。
【００２２】
以下、球払出通路１５について詳しく説明する。球払出通路１５は、図３ないし図５に示すように、内枠３側に設けられる上流側通路２０と、球皿枠７（前枠）側に設けられる下流側通路３０とを含み構成されている。上流側通路２０は、終端部分（以下、上流側終端部２１という）が内枠３の前面３ａで突設されて出口部２０ａを前方に開口している。下流側通路３０は、始端部分（以下、下流側始端部３１という）が球皿枠７の後面７ａで突設されて入口部３０ａを後方に開口している。そして、球払出通路１５は、球皿枠７の閉鎖時に、上流側終端部２１（上流側通路２０の出口部２０ａ）が下流側始端部３１（下流側通路３０）の入口部３０ａから通路内部に挿入されて接続されることにより払出装置１４から払い出された遊技球を払出口９ａから球受皿９に誘導可能となっている。
【００２３】
これによれば、球払出通路１５は、球皿枠７の閉鎖時に、上流側終端部２１が下流側始端部３１の内部に挿入されて、内枠３の前面３ａと下流側通路３０の先端（入口部３０ａ）との境界部分（隙間）が内側から覆われるので、上流側通路２０と下流側通路３０との境界部分（隙間）が複雑形状となり、遊技盤５の遊技領域５ａに向けてピアノ線などの異物を侵入させるゴト行為（不正行為）を抑制又は防止することができる。
【００２４】
また、上流側終端部２１が下流側始端部３１の内部に挿入されて接続されるので、底壁において遊技球を問題なく転動（流下）させることができる。さらには、上流側終端部２１の底壁２１ａの厚みによって球払出通路１５に段差が形成されるので、遊技球の流下に変動を与えて、その遊技球の流下を減速させるとともに、整流して球詰まりを抑制することができる。ひいては、遊技球で満杯になった球皿枠７から遊技者によって遊技球が上流側通路２０側に押しも出されるのを抑制することができ、球皿枠７を開閉する際の球零れを抑制又は防止することができる。なお、下流側始端部３１の外側は、上流側通路２０の接続動作に影響を受けないので、板金で覆うことができ、不正防止効果を高めることができる。
【００２５】
また、上流側通路２０（内枠３）の上流側終端部２１には、球皿枠７の開放時における遊技球の零れを防止するシャッター機構４０が設けられている。ここで、シャッター機構４０は、球皿枠７の閉鎖時には、球払出装置１４から払い出された遊技球の球払出通路１５における流下を許容する許容状態を形成し（図４，図８参照）、球皿枠７の開放時には、球払出通路１５における遊技球の流下を堰き止める規制状態を形成する（図３，図６，図９参照）。なお、本実施形態では、シャッター機構４０は、上流側通路２０の天井壁側に配置されている。
【００２６】
具体的には、上流側終端部２１は、図６及び図７に示すように、上流側通路２０の上流側から連続して前方に下り傾斜する底壁２１ａと、ヒンジ２ｃ側の左側壁２１ｂと、その反対側の右側壁２１ｃとが内枠３に一体的に突出形成されている。上流側終端部２１は、天井壁が切り欠かれた形態をなし、その切欠部分にシャッター機構４０が配置されている。すなわち、上流側終端部２１の天井壁は、シャッター機構４０のシャッター部材４１によって形成されている。
【００２７】
したがって、シャッター機構４０は、球皿枠７の閉鎖時に上流側通路２０の出口部２０ａとともに下流側通路３０の入口部３０ａから通路内部に挿入されることとなる（図４参照）。これによれば、上流側終端部２１は、遊技盤５が位置する天井壁側にシャッター機構４０としての構造体が配置されるので、上流側通路２０と下流側通路３０との境界部分（隙間）が単に通路を形成する平坦面同士の境界部分と異なって複雑形状となり、遊技盤５の遊技領域５ａに向けてピアノ線などの異物を侵入させるゴト行為（不正行為）を効果的に抑制又は防止することができる。
【００２８】
また、上流側終端部２１は、図４及び図５に示すように、出口部２０ａにおいて遊技球が横に並んで２個同時に通過できる高さ及び幅を有して形成されている。また、左側壁２１ｂは、球皿枠７の開閉動作における下流側始端部３１の干渉を回避するために前方中央寄りに傾斜して形成されている。そして、上流側通路２０は、上流側終端部２１の左側壁２１ｂが延長される形で通路を収斂する誘導壁２２を形成している。
【００２９】
次に、下流側始端部３１は、図３ないし図５に示すように、筒状形態をなし、前方に下り傾斜する底壁３１ａと、ヒンジ２ｃ側の左側壁３１ｂと、その反対側の右側壁３１ｃと、天井壁３１ｄを有して形成されている。左側壁３１ｂの内側には、上流側終端部２１の左側壁２１ｂとの干渉を回避するとともに、球皿枠７の閉鎖時における両者の隙間を埋めるリブ３２が上下方向に等間隔で形成されている。これにより、球受皿９が遊技球で満杯になったときに、遊技球がその隙間に入り込んでしまうのを防止して、球皿枠７の開閉動作する際の球噛みを防ぐことができる。
【００３０】
下流側始端部３１の先端（入口部３０ａの周縁）には、シャッター機構４０の許容状態と規制状態とを切り換えるために、シャッター部材４１の当接部４１ｃに当接する押圧部３３が突出形成されている。本実施形態においては、押圧部３３は、シャッター機構４０が上流側終端部２１の天井壁側に配置されているので、天井壁３１ｄの先端に形成されている。
【００３１】
なお、内枠３の前面３ａには、図３ないし図６に示すように、上流側終端部２１（上流側通路２０）を取り囲んで前方に突出する環状の外壁部１６が形成されている。そして、外壁部１６は、球皿枠７の閉鎖時に下流側始端部３１の外側を覆う。すなわち、下流側始端部３１の先端が、上流側終端部２１と外壁部１６との間に挿入される。これによれば、内枠３の前面３ａと下流終端部３１の先端との境界部分（隙間）が、外壁部１６によって外側から覆われるので、遊技盤５の遊技領域５ａに向けてピアノ線などの異物を侵入させるゴト行為（不正行為）を抑制又は防止することができる。すなわち、外壁部１６は、球払出通路１５に対して遊技盤５が位置する上側及び右側を少なくとも取り囲むように形成することで、異物の挿入などの不正防止効果を高めることができる。
【００３２】
次に、シャッター機構４０について具体的に説明する。シャッター機構４０は、図６及び図７に示すように、シャッター部材４１と、付勢手段としての捻りばね４２と、シャッター部材４１を内枠３に保持する留め具４３と、その留め具を内枠３の固定ボス３ｂに固定するビスなどの締結部材４４とを備えている。
【００３３】
シャッター部材４１は、内枠３の前面３ａにおける上流側通路２０の天井壁側に形成された支持部３ｃに軸部４１ａが留め具４３によって軸支され、上流側通路２０の流れ方向に交差する軸線Ｏ１（軸部４１ａ）周りで回動可能に配置される。シャッター部材４１は、上流側終端部２１の幅に対応して板状に形成され、捻りばね４２によって付勢されて通路内部に突進して遊技球の流下を規制する規制部４１ｂと、その規制部４１に一体的に形成され、下流側始端部３１の押圧部３３が当接して規制部４１ｂを通路の上方に退避させる当接部４１ｃとを有している。シャッター部材４１は、軸線Ｏ１方向から見て、規制部４１ｂ及び当接部４１ｃが所定角度隔てて半径方向外側に延出され、例えばＶ字状に形成されている。
【００３４】
また、シャッター部材４１は、規制部４１ｂの上流側通路２０を流下する遊技球を規制する規制面（下面）に軟質性材料の球止部４５が形成されている。たとえば、球止部４５は、柔軟性を有するゴム，エラストマー，シリコーンやウレタンなどによって形成され、規制部４１ｂの規制面に両面テープや接着剤などによって取り付けられている。
【００３５】
球止部４５は、図４に示すように、球皿枠７の閉鎖時で、シャッター機構４０が許容状態を形成するときに、上流側始端部２１の底壁２１ａの先端（出口部２０ａ）と対向するように規制部４１ｂに取り付けられている。これにより、上流側通路２０の最先の遊技球に対して球止部４５が球止め作用を与えることができるので、効果的に球零れを抑制又は防止することができる。
【００３６】
図６及び図７に戻り、捻りばね４２は、コイル状に巻回されてシャッター部材４１の軸部４１ａに遊嵌される中心部４２ａと、その中心部４２ａの一端から外側に直線状に延びてシャッター部材４１の規制部４１ｂに掛止される第１腕部４２ｂと、中心部４２ａの他端から外側に直線状に延びて内枠３の前面３ａに掛止される第２腕部４２ｃとを備えている。なお、内枠３の前面３ａには、第２腕部４２ｃが掛止される第１凹部３ｄが形成されている。また、内枠３の前面３ａには、球皿枠７の閉鎖時にシャッター部材４１の当接部４１ｃを収容するとともに、押圧部３３が挿し込まれる第２凹部３ｅが形成されている。
【００３７】
したがって、シャッター部材４１は、規制部４１ｂが当接部４１ｃよりも相対的に前方に位置して回動するように固定されている。これにより、シャッター部材４１は、下流側始端部３１の押圧部３３が当接部４１ｃに当接しているときには、常に規制部４１ｂは下流側始端部３１の内部に挿入されている状態となる（図８，図１０参照）。すなわち、シャッター機構４０（シャッター部材４１）は、球皿枠７の開閉動作に伴い、上流側通路２０の出口部２０ａが下流側通路３０の入口部３０ａから通路内部に挿入されている状態で、規制状態と許容状態とを切り換えることができる。ひいては、球皿枠７を開閉する際に球払出通路１５を流下する遊技球の球零れを効果的に抑制又は防止することができる。
【００３８】
次に、球皿枠７の開閉動作に伴うシャッター機構４０の作動について説明する。図４，図５及び図８に示すように、球皿枠７の閉鎖時には、下流側始端部３１の天井壁３１ｄの押圧部（先端部）３３がシャッター部材４１の当接部４１ｃに当接して該シャッター部材４１の規制部４１ｂを捻りばね４２の付勢力に抗して通路から上方に退避した状態で保持している。すなわち、上流側通路２０の出口部２０ａが下流側通路３０の入口部３０ａの通路内部に挿入されるとともに、押圧部３３が当接部４１ｃに当接して（図１０参照）、シャッター部材４１を軸線Ｏ１周りに回動させて、規制部４１ｂを通路から退避し、遊技球の流下を許容する（図８参照）。これにより、球払出通路１５として上流側通路２０と下流側通路３０とが連続した状態となるので、球払出装置１４から払い出された遊技球が払出口９ａを介して球受皿９へ払い出される。なお、押圧部３３が第２凹部３ｄに挿し込まれるので、内枠３の前面３ａと下流側始端部３１との間に押圧部３３の突出分の隙間が発生する問題を解消している。
【００３９】
なお、本実施形態のように、上流側通路２０及び下流側通路３０の境界部分において、出口部２０ａが前方に開口し、入口部３０ａが後方に開口されて両通路が接続されているので、正面視における通路の投影面積の高さを低くすることができる。
【００４０】
そして、球皿枠７の開放時には、図３及び図９に示すように、球皿枠７とともに下流側通路３０が上流側通路２０から前方に離間するため、下流側始端部３１の天井壁３１ｄの押圧部３３によるシャッター部材４１の当接部４１ｃへの押圧力が解除され、シャッター部材４１の規制部４１ｂが捻りばね４２の付勢力によって軸線Ｏ１周りに回動して、退避位置（上方）から通路内部に突進する（図１０参照）。そして、規制部４１ｂ（球止部４５）によって遊技球の流下を規制した状態で、下流側通路３０が上流側通路２０から離間していく（図９参照）。
【００４１】
これにより、球払出通路１５として上流側通路２０と下流側通路３０とが分断された状態となり、かつ、シャッター機構４０が上流側通路２０の出口部２０ａで遊技球の流下を堰き止める。ひいては、球受皿９が遊技球で満杯で球払出通路１５まで遊技球で満たされていたり、入賞により賞球の払出し動作が行われていたりしたときでも球払出通路を流下、或いは停留している遊技球が床などに零れ落ちることなく、良好に球皿枠（前枠）７を開閉することができる。
【００４２】
以上のように、上流側終端部２１に設けられたシャッター機構４０は、上流側通路２０の出口部２０ａが下流側通路３０の入口部３０ａから通路内部に挿入されている状態で、上流側通路２０における遊技球の流下の規制状態と許容状態とを切り換える。すなわち、球皿枠７を閉鎖するときには、上流側通路２０と下流側通路３０とが接続された後でシャッター機構４０が許容状態に切り換わり、球皿枠７を開放するときには、シャッター機構４０が規制状態に切り換わった後で上流側通路２０から下流側通路３０が離間するように時間差が形成される。具体的には、下流側始端部３１の底壁３１ａの一部（先端）が球皿枠７の閉鎖時に上流側終端部２１の底壁２１ａの下側に入り込むので、シャッター機構４０が規制状態に切り換わる直前に通過（流下）した遊技球を、その入り込んだ下流側始端部３１の底壁３１ａで受け止めることができる。したがって、球皿枠７を開閉する際に球払出通路１５を流下する遊技球の球零れを効果的に抑制又は防止することができる。
【００４３】
本発明では遊技機の一例としてぱちんこ機について説明したが、他に例えばアレンジボール遊技機、雀球遊技機等の球払出装置が設けられる遊技機に適用することができる。
【符号の説明】
【００４４】
１  ぱちんこ機（遊技機）
２  外枠
３  内枠
５  遊技盤
６  ガラス枠（前枠）
７  球皿枠（前枠）
９  球受皿
９ａ  払出口
１４  球払出装置
１５  球払出通路
１６  外壁部
２０  上流側通路
２０ａ  出口部
２１  上流側終端部
２１ａ  底壁
２１ｂ  左側壁
２１ｃ  右側壁
３０  下流側通路
３０ａ  入口部
３１  下流側終端部
３１ａ  底壁
３１ｂ  左側壁
３１ｃ  右側壁
３１ｄ  天井壁
３３  押圧部
４０  シャッター機構
４１  シャッター部材
４１ａ  軸部
４１ｂ  規制部
４１ｃ  当接部
４２  捻りばね（付勢手段）
４３  留め具
４４  締結部材
４５  球止部
Ｏ１  軸線
【図１】
2010178850.tif 000003
【図２】
2010178850.tif 000004
【図３】
2010178850.tif 000005
【図４】
2010178850.tif 000006
【図５】
2010178850.tif 000007
【図６】
2010178850.tif 000008
【図７】
2010178850.tif 000009
【図８】
2010178850.tif 000010
【図９】
2010178850.tif 000011
【図１０】
2010178850.tif 000012